(57)【要約】【課題】特に操作しなくても、聞く側の端末に表示される画像を見やすく、且つ、読む側の端末に表示される文章を読みやすくする。【解決手段】（１）端末３の画面には画像を表示させる一方、端末４の画面には文章を表示させる。（２）端末３に文章を表示させる場合は、当該文章の領域を、端末４の文章の領域よりも小さく、且つ、端末３の画像の領域よりも小さくする。（３）端末４に画像を表示させる場合は、当該画像の領域を、端末３の画像の領域よりも小さく、且つ、端末４の文章の領域よりも小さくする。【選択図】図５
2015049789.tif 000002
【特許請求の範囲】
【請求項１】
第１の端末に情報を送信し、該情報により前記第１の端末の画面に表示を行うとともに、第２の端末に情報を送信し、該情報により前記第２の端末の画面に表示を行う表示制御装置であって、
（１）第１の端末の画面には画像を表示させる一方、第２の端末の画面には前記画像に関連する文章を表示させ、
（２）第１の端末に前記文章を表示させる場合は、当該文章の領域を、第２の端末の文章の領域よりも小さく、且つ、第１の端末の画像の領域よりも小さくし、
（３）第２の端末に前記画像を表示させる場合は、当該画像の領域を、第１の端末の画像の領域よりも小さく、且つ、第２の端末の文章の領域よりも小さくする
ことを特徴とする表示制御装置。
【請求項２】
前記第１の端末の文章を仮名のみで構成し、
前記第２の端末の文章を漢字と仮名で構成する
ことを特徴とする請求項１記載の表示制御装置。
【請求項３】
前記第１の端末の文章を仮名ならびに読み仮名のある漢字で構成し、
前記第２の端末の文章を仮名ならびに読み仮名のない漢字で構成する
ことを特徴とする請求項１記載の表示制御装置。
【請求項４】
前記第２の端末の文章の読み方を当該第２の端末に表示させる
ことを特徴とする請求項１記載の表示制御装置。
【請求項５】
前記第１の端末に送信する情報と前記第２の端末に送信する情報とを含むコンテンツを当該第１の端末に送信する情報と当該第２の端末に送信する情報とに分割し、それぞれ前記第１の端末と前記第２の端末に送信する
ことを特徴とする請求項１ないし４のいずれかに記載の表示制御装置。
【請求項６】
第１の端末に情報を送信し、該情報により前記第１の端末の画面に表示を行うとともに、第２の端末に情報を送信し、該情報により前記第２の端末の画面に表示を行う表示制御装置の動作方法であって、
（１）第１の端末の画面には画像を表示させる一方、第２の端末の画面には前記画像に関連する文章を表示させ、
（２）第１の端末に前記文章を表示させる場合は、当該文章の領域を、第２の端末の文章の領域よりも小さく、且つ、第１の端末の画像の領域よりも小さくし、
（３）第２の端末に前記画像を表示させる場合は、当該画像の領域を、第１の端末の画像の領域よりも小さく、且つ、第２の端末の文章の領域よりも小さくする
ことを特徴とする表示制御装置の動作方法。
【請求項７】
請求項１ないし５のいずれかに記載の表示制御装置としてコンピュータを機能させるためのコンピュータプログラム。
【発明の詳細な説明】
【技術分野】
【０００１】
本発明は、特に操作しなくても、聞く側の端末に表示される画像を見やすく、且つ、読む側の端末に表示される文章を読みやすくする技術に関するものである。
【背景技術】
【０００２】
遠隔地点において互いにコミュニケーションをとりながら資料を共有する遠隔通信システムやサービスはごく一般的であり、世の中で広く利用されている。例えば特許文献１では、複数の地点に配置された情報共有装置を使用する遠隔会議システムにおいて、互いに多方面の通信を行って電子ホワイトボードを共有しながら円滑に情報の書き込みを行う手段について開示されている。
【０００３】
また、非特許文献１には、孫と祖父母宅の遠隔の離れた二地点間で電子絵本を共有しながら読み聞かせを行うWebサービス「Story Visit」が提示されている。Story Visitは、離れて暮らす家族をテレビ電話で繋ぎながら、同じ電子絵本を共有しながら読み聞かせを行う事ができるアプリケーションである。
【先行技術文献】
【特許文献】
【０００４】
【特許文献１】特開２０１１−１５１６１３号公報
【非特許文献】
【０００５】
【非特許文献１】Nokia Research Center,“NRC launches Story Visit pilot in association with Sesame Workshop”、［online］、［２０１３年７月３０日検索］、インターネット＜ＵＲＬ：http://research.nokia.com/news/9427＞
【発明の概要】
【発明が解決しようとする課題】
【０００６】
ところで、紙の絵本は、1人で読むこともあるので、文章と絵（画像）の大きさに優劣がない。遠隔で読み聞かせを行うための電子絵本では、このような紙の絵本が、読む側、聞く側両方の端末に表示される。読む側にとっては、文章が大きいと読みやすいのに、そうはなっていない。聞く側にとっては、画像が大きいと見やすいのに、そうはなっていない。
【０００７】
また、祖父母が紙の絵本の画像を孫などに見せ且つ文章を孫など読み聞かせる場合においては、絵本を孫などの顔に近づけ、画像を見やすくできる。一方、祖父母は絵本を自分に近づけ、文章を読みやすくできる。しかし、電子絵本ではそれが特別な操作なしにはできない。例えば、画像を見やすくするには、画面中心に画像を移動させ拡大させなければならない。文章を見やすくするには、画面中心に文章を移動させ拡大させなければならない。このような操作は、孫の親が行うにしても、祖父母が行うにしても、面倒であり、敬遠されることが多い。
【０００８】
本発明は、上記の課題に鑑みてなされたものであり、その目的とするところは、特に操作しなくても、聞く側の端末に表示される画像を見やすく、且つ、読む側の端末に表示される文章を読みやすくする技術を提供することにある。
【課題を解決するための手段】
【０００９】
上記の課題を解決するために、第１の本発明に係る表示制御装置は、第１の端末に情報を送信し、該情報により前記第１の端末の画面に表示を行うとともに、第２の端末に情報を送信し、該情報により前記第２の端末の画面に表示を行う表示制御装置であって、（１）第１の端末の画面には画像を表示させる一方、第２の端末の画面には前記画像に関連する文章を表示させ、（２）第１の端末に前記文章を表示させる場合は、当該文章の領域を、第２の端末の文章の領域よりも小さく、且つ、第１の端末の画像の領域よりも小さくし、（３）第２の端末に前記画像を表示させる場合は、当該画像の領域を、第１の端末の画像の領域よりも小さく、且つ、第２の端末の文章の領域よりも小さくすることを特徴とする。
【００１０】
第１の本発明において画像とは、静止画や動画などである。後述の第２の本発明においても同様である。
【００１１】
例えば、表示制御装置は、前記第１の端末の文章を仮名のみで構成し、前記第２の端末の文章を漢字と仮名で構成する。
【００１２】
例えば、表示制御装置は、前記第１の端末の文章を仮名ならびに読み仮名のある漢字で構成し、前記第２の端末の文章を仮名ならびに読み仮名のない漢字で構成する。
【００１３】
例えば、表示制御装置は、前記第２の端末の文章の読み方を当該第２の端末に表示させる。
【００１４】
例えば、表示制御装置は、前記第１の端末に送信する情報と前記第２の端末に送信する情報とを含むコンテンツを当該第１の端末に送信する情報と当該第２の端末に送信する情報とに分割し、それぞれ前記第１の端末と前記第２の端末に送信する。
【００１５】
第２の本発明に係る表示制御装置の動作方法は、第１の端末に情報を送信し、該情報により前記第１の端末の画面に表示を行うとともに、第２の端末に情報を送信し、該情報により前記第２の端末の画面に表示を行う表示制御装置の動作方法であって、（１）第１の端末の画面には画像を表示させる一方、第２の端末の画面には前記画像に関連する文章を表示させ、（２）第１の端末に前記文章を表示させる場合は、当該文章の領域を、第２の端末の文章の領域よりも小さく、且つ、第１の端末の画像の領域よりも小さくし、（３）第２の端末に前記画像を表示させる場合は、当該画像の領域を、第１の端末の画像の領域よりも小さく、且つ、第２の端末の文章の領域よりも小さくすることを特徴とする。
【発明の効果】
【００１６】
本発明によれば、特に操作しなくても、聞く側の端末に表示される画像を見やすく、且つ、読む側の端末に表示される文章を読みやすくすることができる。
【図面の簡単な説明】
【００１７】
【図１】本実施の形態に係る表示制御装置を含むシステムの全体図である。
【図２】コンテンツに含まれるＨＴＭＬデータの一例を示す図である。
【図３】ＤＯＭエレメントの具体的な送信先を示す図である。
【図４】ＪａｖａＳｃｒｉｐｔによる制御例を示す図である。
【図５】実施例１における画面の表示例を示す図である。
【図６】実施例２における画面の表示例を示す図である。
【図７】実施例３における画面の表示例を示す図である。
【図８】実施例４における画面の表示例を示す図である。
【発明を実施するための形態】
【００１８】
以下、本発明の実施の形態について図面を参照して説明する。
【００１９】
図１は、本実施の形態に係る表示制御装置を含むシステムの全体図である。
【００２０】
表示制御装置１は、ウェブサーバ２、端末３および端末４に対し、通信回線を介して接続される。
【００２１】
端末３は、例えば、孫宅にある家庭用テレビジョン受像機であり、端末４は、例えば、祖父母宅にある家庭用テレビジョン受像機である。
【００２２】
ウェブサーバ２は、ディジタル化された絵本、つまり、孫に見せるべき絵（画像）ならびに祖父母が読むべき文章、つまり画像に関連する文章を含むコンテンツを有している。本実施の形態において画像とは、静止画や動画である。
【００２３】
コンテンツとは、ＨＴＭＬ、ＪａｖａＳｃｒｉｐｔ（登録商標）、ＣＳＳなどの技術を用いた、１つのまとまりの情報をいう。コンテンツを異なる端末間で連携して表示するウェブ対応技術として、「中茂，他４名，“中間ブラウザによるマルチデバイス連携技術の提案”，研究報告グループウェアとネットワークサービス，２０１３−ＧＮ−８７（６）」に記載の中間ブラウザの技術を用いることができる。
【００２４】
本実施の形態では、祖父母が、絵本の画像（コンテンツ内の画像）を孫に見せ、絵本の文章（コンテンツ内の文章）を読み聞かせる際の動作について説明する。
【００２５】
表示制御装置１は、ウェブサーバ２からコンテンツを受信し、コンテンツを、端末３用と指定されたＤＯＭエレメントと端末４用と指定されたＤＯＭエレメントとに分割する。
【００２６】
具体的には、表示制御装置１は、端末３に対しては、端末３用と指定されたＤＯＭエレメントを取り出して送信し、端末４に対しては、端末４用と指定されたＤＯＭエレメントを取り出して送信する。
【００２７】
表示制御装置１においてコンテンツを分割するので、ウェブサーバ２においては、それぞれを対応づけて管理する必要がなく、つまり、１つのコンテンツを管理すればよいので、管理が容易である。
【００２８】
なお、表示制御装置１は、ウェブサーバ２から端末３用のＤＯＭエレメントを含むコンテンツと端末４用のＤＯＭエレメントを含むコンテンツを受信し、それぞれを端末３、４に送信してもよい。
【００２９】
各端末３、４は、ブラウザ５とリアルタイムコミュニケーション処理部６を備える。ブラウザ５は、例えば、ＷｅｂＳｏｃｋｅｔ通信可能なブラウザである。
【００３０】
ブラウザ５は、表示制御装置１から送信されたＤＯＭエレメント内の画像や文章を端末の画面に表示させる。
【００３１】
ブラウザ５が画像や文章を表示することで、孫は画像などを見ることができ、祖父母は文章を見て、これを読み上げることができる。
【００３２】
端末３のリアルタイムコミュニケーション処理部６は、孫が発した音声や、孫をリアルタイムで撮影した映像を、端末４のリアルタイムコミュニケーション処理部６に送信する。これを受信したリアルタイムコミュニケーション処理部６は、受信した音声や映像ならび祖父母が文章を読んで発した音声や祖父母を撮影した映像をリアルタイムで再生する。
【００３３】
一方、端末４のリアルタイムコミュニケーション処理部６は、祖父母が文章を読んで発した音声や、祖父母をリアルタイムで撮影した映像を、端末３のリアルタイムコミュニケーション処理部６に送信する。これを受信したリアルタイムコミュニケーション処理部６は、受信した音声や映像ならびに孫が発した音声や孫を撮影した映像をリアルタイムで再生する。
【００３４】
これにより、祖父母は孫に対し、文章を読み聞かせることができる。
【００３５】
家庭用テレビジョン受像機（端末）の画面数は、通常は１つなので、コンテンツ内の画像（絵本の画像）と孫や祖父母のリアルタイム映像は、その１つの画面に表示される。
【００３６】
なお、端末にリアルタイムコミュニケーション処理部６を設ける代わりに、端末とは別にテレビ電話システムなどを使用してもよい。また、リアルタイムコミュニケーションは音声のみとしてもよい。その場合、通常の電話（固定電話や携帯電話）を使用することができる。
【００３７】
図２は、コンテンツに含まれるＨＴＭＬデータの一例を示す図であり、図３は、ＤＯＭエレメントの具体的な送信先を示す図である。
【００３８】
表示制御装置１は、ＨＴＭＬデータ内のＤＯＭエレメントの構造を解析する。図において四角い枠は、ＤＯＭエレメントを表している。ＤＯＭエレメント内の図画情報領域には、画像（絵本の絵）が配置され、文字情報領域には、読み聞かせる文章が配置される。
【００３９】
表示制御装置１は、どの端末にどのＤＯＭエレメントを送信すべきかを、コンテンツ内のＪａｖａＳｃｒｉｐｔにより制御する。
【００４０】
つまり、表示制御装置１は、ブラウザの指定がないＤＯＭエレメントについては、これをＨＴＭＬデータから分離し、各ブラウザ５に送信する。
【００４１】
表示制御装置１は、一方、ブラウザの指定があるＤＯＭエレメントについては、当該ブラウザ５にのみ送信する。
【００４２】
表示制御装置１は、＜ｄｉｖ  ｉｄ＝”ｃｏｎｔｒｏｌ”＞と指定されたＤＯＭエレメントを端末３のブラウザ５と端末４のブラウザ５の両方に送信する。
【００４３】
表示制御装置１は、一方、＜ｄｉｖ  ｄｅｖｉｃｅ＝”ｍａｇｏ”＞と指定されたＤＯＭエレメントは端末３のブラウザ５にのみ送信し、＜ｄｉｖ  ｄｅｖｉｃｅ＝”ｓｏｈｕｂｏ”＞と指定されたＤＯＭエレメントは端末４のブラウザ５にのみ送信する。
【００４４】
図４は、ＪａｖａＳｃｒｉｐｔによる制御例を示す図である。
【００４５】
まず、表示制御装置１は、ウェブサーバ２からコンテンツを受信し（Ｓ１）、端末３、４の各ブラウザ５に該当のＤＯＭエレメントを送信する（Ｓ３、Ｓ５）。各ブラウザ５は、ＤＯＭエレメントを受信し、最初のページの画像や文章を端末の画面に表示する。
【００４６】
ＪａｖａＳｃｒｉｐｔは、イベント駆動型のプログラミング言語なので、ＤＯＭエレメントに対してイベントハンドラを設定できる。
【００４７】
そこで、絵本のページをめくる制御をコントロールのＤＯＭエレメント（＜ｄｉｖ  ｉｄ＝”ｃｏｎｔｒｏｌ”＞と指定されたＤＯＭエレメント）に割り当て、このＤＯＭエレメントに指定されたイベント（絵本のページをめくるイベント）が発生した場合（Ｓ７：ＹＥＳ）、端末３、４の各ブラウザ５に対し、表示中のＤＯＭエレメントを、次のページのＤＯＭエレメントに切り替えるように制御し（Ｓ９、Ｓ１１）、ステップＳ７に戻る。
【００４８】
切り替えの制御は、具体的には、送信するスクリプトに、例えば、＜ｄｉｖ  ｉｄ＝”ｍａｇｏ＿ｐａｇｅ１”＞のページを＜ｄｉｖ  ｉｄ＝”ｍａｇｏ＿ｐａｇｅ２”＞のページに切り替える制御を記述し、＜ｄｉｖ  ｉｄ＝”ｓｏｈｕｂｏ＿ｐａｇｅ１”＞のページを＜ｄｉｖ  ｉｄ＝”ｓｏｈｕｂｏ＿ｐａｇｅ２”＞のページに切り替える制御を記述することにより行われる。
【００４９】
次に、端末３、４の画面への表示例を説明する。まず、孫、祖父母の映像表示を省略し、３例説明する。
【００５０】
（実施例１）
図５は、実施例１における画面の表示例を示す図である。
【００５１】
本実施の形態では、（１）端末３の画面には画像を表示させる一方、端末４の画面には文章を表示させる。（２）端末３に文章を表示させる場合は、当該文章の領域を、端末４の文章の領域よりも小さく、且つ、端末３の画像の領域よりも小さくする。（３）端末４に画像を表示させる場合は、当該画像の領域を、端末３の画像の領域よりも小さく、且つ、端末４の文章の領域よりも小さくする。
【００５２】
これにより、特に操作しなくても、聞く側の端末３に表示される画像を見やすく、且つ、読む側の端末４に表示される文章を読みやすくすることができる。
【００５３】
また、例えば、端末３の文章を仮名のみで構成し、端末４の文章を漢字と仮名で構成する。端末３の文章は仮名のみなので、孫にとって読みやすく、一方、端末４の文章は漢字を含むので、祖父母にとって読みやすい。なお、各文章を仮名のみで構成してもよい。また、各文章を漢字と仮名で構成してもよい。
【００５４】
（実施例２）
図６は、実施例２における画面の表示例を示す図である。
【００５５】
実施例２では、端末３の画面には文章を表示させない。よって、画像を特大で表示できる。文章を表示させないので、上記（２）の条件は、考慮しなくてよい。図示しないが、端末４に画像を表示させなくてもよい。この場合、上記（３）の条件は考慮しなくてよい。
【００５６】
（実施例３）
図７は、実施例３における画面の表示例を示す図である。
【００５７】
実施例３では、端末３の文章を仮名ならびに読み仮名のある漢字で構成し、端末４の文章を仮名ならびに読み仮名のない漢字で構成する。端末３の文章では、漢字に読み仮名が付いているので、孫にとって読みやすく、一方、端末４の文章は、漢字に読み仮名が付いていないので、祖父母にとって読みやすい。
【００５８】
なお、各文章を仮名ならびに読み仮名のない漢字で構成してもよい。また、各文章を仮名ならびに読み仮名のある漢字で構成してもよい。
【００５９】
また、端末４には、端末４に表示される文章の読み方を表示させる。これにより、読み方が早すぎて聞き取れないというような事態を防止できる。
【００６０】
（実施例４）
図８は、実施例４における画面の表示例を示す図である。
【００６１】
図８に示すように、さらに孫、祖父母を撮影した映像を表示すると、例えば、孫の表情を見て、読む速度を調整したり、読むのを中止したりでき、好適である。
【００６２】
以上説明したように、本実施の形態に係る表示制御装置１によれば、（１）聞く側の端末３の画面には画像を表示させる一方、読む側の端末４の画面には文章を表示させ、（２）端末３に文章を表示させる場合は、当該文章の領域を、端末４の文章の領域よりも小さく、且つ、端末３の画像の領域よりも小さくし、（３）端末４に画像を表示させる場合は、当該画像の領域を、端末３の画像の領域よりも小さく、且つ、端末４の文章の領域よりも小さくするので、特に操作しなくても、聞く側に表示される画像を見やすく、且つ、読む側に表示される文章を読みやすくすることができる。
【００６３】
なお、表示制御装置１としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００６４】
１…表示制御装置
２…ウェブサーバ
３、４…端末
５…ブラウザ
６…リアルタイムコミュニケーション処理部
【図１】
2015049789.tif 000003
【図２】
2015049789.tif 000004
【図３】
2015049789.tif 000005
【図４】
2015049789.tif 000006
【図５】
2015049789.tif 000007
【図６】
2015049789.tif 000008
【図７】
2015049789.tif 000009
【図８】
2015049789.tif 000010